(57)【要約】【課題】本発明は、看護師等がナースコールシステムの呼出音の種類を変更するための面倒な操作を行うことなく、かつ、意図的に呼出音の種類を指定しないときでも、呼出音の種類が一定の期間をおいて自動的に変わることにより、飽きが来ず、程よく新鮮な呼出音を奏でられるようにすることを課題とする。【解決手段】ナースコール親機には、日付別の呼出音を記憶する呼出音を記憶する呼出音記憶手段と、ナースコール子機からの呼出発生時において、当該呼出発生日の日付データをもとに、前期呼出音記憶手段から読み出された呼出音を発生する呼出音発生手段と、を具備することを特徴とする。【選択図】図３
2006211340.tif 000002
【特許請求の範囲】
【請求項１】
病室のベッドサイドに設置されるナースコール子機と、ナースコール子機との間で呼出通話できるナースコール親機とを有するナースコールシステムにおいて、前記ナースコール親機には、日付別の呼出音を記憶する呼出音記憶手段と、ナースコール子機からの呼出発生時において、当該呼出発生日の日付データをもとに、前期呼出音記憶手段から読み出された呼出音を発生する呼出音発生手段と、を具備することを特徴とするナースコールシステム。
【請求項２】
前期呼出音記憶手段において、季節別、日付別、曜日別、節句などの記念日別、指定日別のいずれかまたは複合して記憶できるようにしたことを特徴とする請求項１記載のナースコールシステム。
【請求項３】
同一の指定日に対し、担当看護師別に、異なる指定呼出音を設定するか、または単一の指定呼出音について異なる演奏条件を設定することにより、呼出音の違いで自分の受け持ち患者からの呼出しであるかどうかを判別できようにしたことを特徴とする請求項１または請求項２記載のナースコールシステム。
【請求項４】
前記ナースコール親機の前記呼出音を、前記ナースコール子機に対し、その呼出確認音として送信できるようにしたことを特徴とする請求項１および請求項２または請求項３記載のナースコールシステム。
【発明の詳細な説明】
【技術分野】
【０００１】
本発明は、ナースコールシステムに係り、特に、ナースコール親機または子機から鳴る呼出音または呼出確認音を、内部のコンピュータによる制御で自動的に、季節にふさわしい音曲にしたり、あるいは、暦上の節日などに当たる日には、その節日にふさわしい音曲にしたりできるナースコールシステムに関する。
【背景技術】
【０００２】
従来、ナースコール親機から出る呼出音は、呼出の緊急度に応じて、一般呼出と緊急呼出に区分され、異なる種類の呼出音を使用することが多い。例えば、通常の呼出に対応する一般呼出音として、「乙女の祈り」、緊急呼出に対応する緊急音として、「電子ブザー音」を割付け、どちらの呼出音が鳴ったかで、患者からの呼出が、通常の呼出か、緊急の呼出かを判別できるようにしている。
【０００３】
本発明は、上記２種類の呼出のうち、通常呼出に対応する一般呼出音の種類に関するものである。
【０００４】
この一般呼出音に使用する音曲は、一般には、ナースコールシステムの設置時に、機器に予め用意されている音曲の中から、看護師等の希望を聞いて、決められることが多い。そして、選択された特定の呼出音曲が、患者から呼出があるたびに、親機から鳴るようになっている。
【０００５】
この一般呼出音は、設定後においても、別のメロディ等に変更することが可能となっているものも多いが、あえて、別のメロデイ等に設定し直すことは、看護師等のユーザーによる再設定作業になれていないこともあり、皆無といってよい。
【０００６】
次に、呼出音もしくは着信音の種類の変更に関連する従来技術について説明する。
まず、
【特許文献１】には、子機から呼出信号が送られてきたとき、前記呼出信号から当該子機の局番を識別し、前記記憶手段に記憶されている当該子機の局番と照合してその局番に対応する音色の呼出音を発生する、ということが記載されている。すなわち、呼出音の音色で子機を区別できるというものである。
【０００７】
また、
【特許文献２】には、看護師別に担当患者を分担する場合において、呼出すべき担当看護師毎に、呼出音の種類を変え、看護師等は、呼出音の音色を聞き分けて、自分の担当かどうかを判別できるようにした、ナースコール装置が記載されている。
【０００８】
【特許文献１】、
【特許文献２】記載の発明は、呼出音を異ならせる事で、発信者である患者を特定することが基本で、それに加えて、
【特許文献２】の発明は、応対すべき看護師等を特定できるというものである。
【０００９】
【特許文献１】・・・・特開昭６３−１５５９４３号公報
【特許文献２】・・・・特開２０００−２２４３２０号公報
【発明の開示】
【発明が解決しようとする課題】
【００１０】
特許文献１および特許文献２記載の発明によれば、呼出音の種類を聞き分けることにより、発信者または受信者を特定できるという、識別機能に関する利便は認められるが、看護環境、患者環境の向上を企図するものではない。また、いったん設定された呼出音の種類は、看護師等が、手動で変更しない限り、各患者または各看護師等に対して固有、不変のものであり、いずれ、呼出音に対する飽き飽き感、ないしマンネリ感を醸成する。
【００１１】
本発明は、このような従来のナースコールシステムにおける呼出音の欠点を除去するためのものであり、看護師等が呼出音の種類を変更するための面倒な操作を行うことなく、かつ、意図的に呼出音の種類を指定しないときでも、呼出音の種類が日または一定の期間をおいて自動的に変わることにより、飽きが来ず、程よく新鮮な呼出音を奏でられるようにすることを課題とする。
【００１２】
また、本発明は、呼出音を呼出報知手段としてばかりでなく、季節や月日に従い、内蔵タイマーに連動させて、自動的に呼出音の種類を選択変更することにより、呼出音という音媒体のなかに、季節情報、月日情報、カレンダー情報、環境情報を巧みに織り込んで伝達できるようにすることを課題とする。
【課題を解決するための手段】
【００１３】
本発明の一つは、ナースコール親機には、日付別の呼出音を記憶する呼出音記憶手段と、ナースコール子機からの呼出発生時において、当該呼出発生日の日付データをもとに、前期呼出音記憶手段から読み出された呼出音を発生する呼出音発生手段と、を具備することを特徴としている。
【００１４】
また、本発明の一つは、前期呼出音記憶手段において、季節別、日付別、曜日別、節句などの記念日別、指定日別のいずれかまたは複合して記憶できるようにしたことを特徴としている。
【００１５】
さらに、本発明の一つは、同一の指定日に対し、担当看護師別に、異なる指定呼出音を設定するか、または単一の指定呼出音について異なる演奏条件を設定することにより、呼出音の違いで自分の受け持ち患者からの呼出しであるかどうかを判別できようにしたことを特徴としている。
【００１６】
さらに、本発明の一つは、親機で発生する各種の呼出音をそのまま呼出確認音として子機に送信することを特徴としている。
【発明の効果】
【００１７】
本発明によれば、カレンダーの日付に対応して、季節にふさわしい、あるいは、記念日を思い出させる呼出音を鳴らせるので、従来のような呼出音のマンネリ化をさけることができる。
【００１８】
また、本発明によれば、上記の呼出音をそのまま子機の呼出確認音として利用しているので、病室内にいて、ついつい季節変化や暦感覚に疎くなる長期入院患者等の季節感覚を刺激し、そのヒーリングに寄与することができる。
【００１９】
さらに、本発明によれば、担当看護師別に異なる呼出音を鳴らせるので、呼出音を聞き分けることにより、自分の受け持ち患者からの呼出かそうでないかを区別できる。
【発明を実施するための最良の形態】
【００２０】
図１は、本発明の１実施例におけるナースコールシステムの全体構成図である。
ナースセンターや管理センターに設置されるナースコール親機１は、通話手段２やタッチパネル付きの液晶画面３を有し、病室の各出入り口に設置される個別情報廊下灯４が接続されている。
【００２１】
各個別情報廊下灯４は、代表灯５およびタッチパネル付きの液晶画面６を有し、当該病室の病床数に応じて、呼出、通話機能を有する複数のナースコール子機７が接続されている。図示の例では、患者がベッドに寝たまま操作できる、呼出専用の握りボタン８と呼出通話用のハンド子機９とを備えている。
【００２２】
１０は、共用トイレの出入り口等に設置されるＩ／Ｏユニットであり、このＩ／Ｏユニットには、廊下灯１１、復旧ボタン１２、押しボタン１３が必要数接続されている。
【００２３】
ナースコール親機１に接続されている無線主装置１４には、電波の伝播状態、見通し距離などを考慮して配置を決めて設置される１５ａ、１５ｂ、・・・・・で示す複数の無線基地局１５が接続され、この無線基地局１５と携帯端末１６は、１６ａ、１６ｂ、１６ｃとの間で無線交信ができる。
【００２４】
次に図１に示すナースコールシステムの概略動作を説明する。
まず、病室の患者がナースコール子機７の握りボタン８またはハンド子機９の押しボタンを押すと、呼出信号が個別情報廊下灯４に送信され、代表灯５が点灯するとともに、液晶画面６に呼出画面が表示される。さらに、呼出信号がナースコール親機１に送られ、親機１の液晶画面には呼出画面が表示されるとともに呼出音が鳴る。
【００２５】
同時に、呼出信号は親機１から無線主装置１４を介して各無線基地局１５に送信される。
この無線基地局１５から送信される電波を受信して、所要の携帯端末１６から呼出音が鳴り、ナースコール画面が表示される。
【００２６】
次に、上記の呼出状態において、ナースコール親機１または携帯端末１６で応答操作を行なうと、呼出音は停止し、ナースコール子機との間で通話ができる。
【００２７】
図２は、本発明のナースコール親機のブロック図である。
１７はＣＰＵを含む制御部であり、この制御部１７には、個別情報廊下灯に接続される通信Ｉ／Ｆ１８と、無線主装置に接続される無線主装置Ｉ／Ｆ１９と、ネットワークＩ／Ｆ２０とが接続されている。ナースコール親機をオーダリングシステムや看護支援システムに連動させる場合には、このネットワークＩ／Ｆを介して連動させる。
【００２８】
２１は、ＬＣＤ２２と操作キー２３で構成されるタッチパネル付き表示部、２４は、スピーカ２５、音源ＩＣ２６で構成される呼出音発生手段、２７は通話用のマイク２８およびレシーバ２９を制御する通話制御部であり、それぞれ制御部１７に接続されている。
【００２９】
さらに、制御部１７には、ＲＯＭおよびＲＡＭを有するメモリ３０が接続されている。
メモリ３０には、全体動作を制御するプログラムの他に、呼出音設定データ、呼出音データを含む呼出音記憶手段３１、子機ＩＤなどを含む子機データ、画像メモリ等が含まれる。
【００３０】
また、制御部１７には、年月日データを保有するカレンダー手段３２が接続されている。
【００３１】
次に、図２を参照してナースコール親機の動作を説明する。
まず、ナースコール子機の呼出ボタン操作で発生する呼出信号は、通信Ｉ／Ｆ１８を介して制御部１７に取り込まれ、呼出信号に含まれている呼出種別、子機番号などの子機データが解読される。その結果は、タッチパネル付き表示部２１に表示される。
【００３２】
同時に、カレンダー手段３２から得られる日付データをもとに、呼出音記憶手段３１に記憶されている呼出音設定データ、呼出音データを読出すとともに、読出したデータに連動して、呼出音発生手段２４を構成する音源ＩＣ２６が駆動され、スピーカ２５から指定された呼出音が鳴動する。
【００３３】
さらに、ナースコール子機からの呼出信号は、制御部において無線呼出用として加工され、無線主装置１９から外部に送信される。
【００３４】
次いで、ナースコール親機において、送受器を取上げるなどの応答操作を行なうと、呼出音発生手段２４は呼出停止状態に制御され、通信Ｉ／Ｆ１８を介して応答信号がナースコール子機に送信され、ナースコール親機とナースコール子機とは相互に通話状態となる。
【００３５】
図３は、呼出音記憶手段を構成する呼出音設定データ例を示したものである。
図において、呼出音カレンダーは、日付、日付フラグ、曜日、曜日フラグ、季節、季節フラグ、既定音の各項目で構成されている。
【００３６】
上記において、日付の項目は、年号を含む日付の順列で構成され、日付フラグは、各日付毎に、個別の呼出音が設定されているか否かを示している。同様に、曜日フラグは、曜日ごとに特定の呼出音が設定されているかどうかを示している。季節フラグも同様である。
既定音は、デフォルトの呼出音が設定されているかどうかを示している。
【００３７】
日付別設定テーブル、曜日別設定テーブル、季節別設定テーブルは、それぞれ、特定の呼出音が設定されている日付、曜日、季節の指定音名またはコードを示すテーブルである。
【００３８】
図４は、呼出音の発生のフロー図である。
まず、ナースコール親機において、ナースコール子機からの呼出信号を受信すると、呼出種別が判定される。呼出種別としては、通常は、一般呼出、緊急呼出、トイレ呼出、点滴呼出などがあるが、フロー図では、一般と他に区分してある。
【００３９】
呼出種別が一般呼出以外のときは、各呼出種別に応じて予め設定されている呼出種別テーブルから指定音を読み取り呼出音としてセットする。ナースコール親機は、セットされた指定呼出音で鳴動する。
【００４０】
上記と異なり、呼出種別が一般呼出の場合は、図３の呼出音カレンダーから呼出日の日付データを読み取る。この日は、日付フラグ＝１であり、特定の呼出音が設定されていることがわかる。日付フラグ＝１のときは、図３の日付設定テーブルに飛び、日付が１／１の指定音である呼出音Ａという呼出音名ないし呼出音名コードを、演奏する呼出音としてセットする。
【００４１】
なお、図３の呼出音カレンダーによれば、日付が最小単位であり、かつ、最小単位の日付フラグが１のため、その上位単位にあたる曜日フラグ、季節フラグ、既定音のフラグの設定値は無視される。
【００４２】
次に、図３の呼出音カレンダーにおける、２００５／１／２のように日付フラグ＝０のときは、曜日フラグの判定に進む。まず、曜日として「日」曜日を取得し、曜日フラグ＝１であることから、図３の曜日別設定テーブルに移り、日曜日の指定音として、呼出音Ｏを取得する。この２００５／１／２の例のように曜日フラグ＝１の場合、後段の季節フラグおよび既定音のフラグの状態は無視される。
さらに、日付（２００５／１／３）のように、日付フラグ＝０、曜日フラグ＝０の場合は、季節フラグの判定ステップに移行する。
【００４３】
この２００５／１／３の例では、図３の呼出音カレンダーから季節は冬、季節フラグ＝１であるから、同じく図３の季節別テーブルから冬の呼出音Ｙを読取り、指定音としてセットする。
【００４４】
さらに、図３の呼出音カレンダーにおける２００５／１／４のように、日付フラグ、曜日フラグ、季節フラグのいずれもが「０」にセットされている場合には、ナースコール親機に予め標準の呼出音として設定されている既定音が呼出音として使用される。
【００４５】
図５は、呼出音の設定方法を示すフロー図であり、本実施例では、前述したタッチパネル付き表示部２１に呼出音設定メニユーを表示させることができる。
【００４６】
まず、呼出音設定メニユー画面において、設定する期間または日を選択する。
たとえば、１．季節（春  夏  秋  冬）の項目を選択した後、指定する季節例えば「春」を選択する。そうすると、春の季節にふさわしい呼出音、図示の例では、呼出音１、呼出音２、呼出音３の３種類の呼出音が表示されるので、その中からたとえば任意の呼出音１を選ぶ。
【００４７】
次いで、呼出音設定確認メニューで「はい」を選択すると、春の呼出音として呼出音１が設定され、最初のメニユー画面に復帰する。呼出音設定確認メニユーで「いいえ」を選択すると、最初のメニユー画面に戻るので、そのまま呼出音設定メニユーを終了させるか、改めて呼出音の設定を開始するかを選択できる。
【００４８】
なお、図示の例では、日や期間別に単一の呼出音を設定できる例を示したが、日や期間別に複数の呼出音を設定することもできる。すなわち、同一の日または期間において、担当看護師等に対応して個別の呼出音を割り当てるようにすることもできる。この場合、担当看護師等別に、楽曲そのものを変えることもできるし、同一の楽曲で、Ａ看護師用としてピアノ演奏、Ｂ看護師用として、フルートアンサンブルにするなど演奏楽器で区別することもできるし、リズムを変えて区別することもできる。
【００４９】
なお、本実施例では、ナースコール親機において、日付別の呼出音を設定する例を示したが、呼出音として、予め、季節、節句日などで異なる呼出音をＲＯＭに記憶させ、これをナースコール親機に設置前に組み込むこともできる。
【００５０】
また、本発明によれば、呼出音発生手段２４で発生する呼出音を分配し、呼出確認音として、ナースコール子機に送信できる構成にすれば、ナースコール子機から出る呼出確認音を介して、季節の移り変わりや記念日などのカレンダー情報を、特別の手段によらずとも患者に伝えることができる。
【図面の簡単な説明】
【００５１】
【図１】本発明の１実施例におけるナースコールシステムの全体構成図。
【図２】本発明の１実施例におけるナースコール親機のブロック図。
【図３】本発明の１実施例における呼出音設定データ例。
【図４】本発明の１実施例における呼出音発生のフロー図。
【図５】本発明の１実施例における呼出音設定フロー図。
【符号の説明】
【００５２】
１    ナースコール親機
２    通話手段
３    液晶画面
４    個別情報廊下灯
１０    Ｉ／Ｏユニット
１４    無線主装置
１５    無線基地局
１６    携帯端末
【図２】
2006211340.tif 000003
【図３】
2006211340.tif 000004
【図４】
2006211340.tif 000005
【図５】
2006211340.tif 000006
【図１】
2006211340.tif 000007